(57)【要約】      （修正有）【課題】ヘッダー配置部の周辺部でも踏み心地の変化がほとんどない暖房床を提供する。【解決手段】板状体層１、流体配管４が組み込まれたマット層２及びクッション層３がこの順に積層された基本構造を有し、発泡体層及びクッション層の一部にヘッダー５が配置されている暖房床であって、ヘッダーの配置位置の周囲において、クッション層が硬質層に置換されている暖房床、及び、板状体層、流体配管が組み込まれたマット層及びクッション層がこの順に積層された構造を有し、発泡体層及びクッション層の一部にヘッダーが配置されている暖房床であって、ヘッダーの配置位置の周囲において、板状体層とマット層との間に弾性層が配置されている暖房床。【選択図】図２
2007071417.tif 000002
【特許請求の範囲】
【請求項１】
板状体層、流体配管が組み込まれたマット層及びクッション層がこの順に積層された基本構造を有し、前記発泡体層及びクッション層の一部にヘッダーが配置されている暖房床であって、前記ヘッダーの配置位置の周囲において、前記クッション層が硬質層に置換されていることを特徴とする暖房床。
【請求項２】
板状体層、流体配管が組み込まれたマット層及びクッション層がこの順に積層された構造を有し、前記発泡体層及びクッション層の一部にヘッダーが配置されている暖房床であって、前記ヘッダーの配置位置の周囲において、前記板状体層とマット層との間に弾性層が配置されていることを特徴とする暖房床。
【発明の詳細な説明】
【技術分野】
【０００１】
本発明は、ヘッダー配置部の周辺部でも踏み心地の変化がほとんどない暖房床に関する。
【背景技術】
【０００２】
近年、床暖房需要の増加により、樹脂発砲体に溝付け加工を施し、温水等の流体を流すための流体配管を配置した暖房床が多く設置されている。
これらの暖房床としては、温水等の流体を通す流体配管が組み込まれたマット層を、例えば、一戸建て住宅にあっては、大引と床板との間、大引の上に敷いた下張合板の上面等に、マンション等のような集合住宅にあっては、スラブ床の上面に直接、又は、スラブ床の上面に敷いた下張合板の上等に敷き、該マット層上にフローリング材等の板状体（仕上げ材）を敷く形式のものが広く普及している（例えば、特許文献１等）。また、特にマンション等のような集合住宅にあっては、高い防音性能を発揮するためにマット層の下に軟らかいクッション層を配置することが多い。
【０００３】
ところで、屋外に配置した給湯器で生成した温水等の流体をマット層に組み込まれた流体配管に導くには、ヘッダーと呼ばれる器具を介して管同士を結合することが行われる。図４に、ヘッダーの一例を表す模式図を示した。ヘッダーには、充分な強度が必要であり、また、加工が容易であることから、通常は金属からなるものが用いられている。
【０００４】
図３に、板状体層、流体配管が組み込まれたマット層及びクッション層がこの順に積層された構造を有する通常の暖房床におけるヘッダーの配置位置を模式的に説明する断面図を示した。図３に示した暖房床は、板状体層１、流体配管４が組み込まれたマット層２、及び、クッション層３からなる積層体が基本構造である。この基本構造に加えて、要所要所にヘッダー５が配置される。ヘッダー５の配置部分では、マット層２、クッション層５が除かれている。
【０００５】
このような構造からなる暖房床では、要所要所に配置されたヘッダー５を介して温水等の流体が高効率に供給されることから、極めて高い暖房性能を発揮することができる。
しかしながら、金属からなるヘッダー５は、マット層２、クッション層３に比べて極端に硬く柔軟性が皆無である。そのため、ヘッダーの上を踏んだとき、周辺部ではクッション層がへこむのに対して、ヘッダー部分はへこまないため、暖房床上の歩行者にとって、ヘッダーが配置された部分とその周辺部とでは踏み心地が極端に異なり、違和感があるいう問題があった。
【特許文献１】特開平０７−２１７９２０号公報
【発明の開示】
【発明が解決しようとする課題】
【０００６】
本発明は、上記現状に鑑み、ヘッダー配置部の周辺部でも踏み心地の変化がほとんどない暖房床を提供することを目的とする。
【課題を解決するための手段】
【０００７】
本発明１は、板状体層、流体配管が組み込まれたマット層及びクッション層がこの順に積層された基本構造を有し、前記発泡体層及びクッション層の一部にヘッダーが配置されている暖房床であって、前記ヘッダーの配置位置の周囲において、前記クッション層が硬質層に置換されている暖房床である。
本発明２は、板状体層、流体配管が組み込まれたマット層及びクッション層がこの順に積層された構造を有し、前記発泡体層及びクッション層の一部にヘッダーが配置されている暖房床であって、前記ヘッダーの配置位置の周囲において、前記板状体層とマット層との間に弾性層が配置されている暖房床である。
以下に本発明を詳述する。
【０００８】
本発明の暖房床は、板状体層、マット層及びクッション層がこの順に積層された基本構造を有する。
上記板状体層を構成する板状体としては特に限定されず、例えば、フローリング、コルク、タイル、畳、カーペット、化粧板等が挙げられる。一般的には、木質材料で作られたフローリングが用いられることが多い。このようなフローリングの基材としては、例えば、スギ、ヒノキ等の天然木の他、合板、パーチクルボード、ウエハーボード、ＭＤＦ等の木質ボード類等も挙げられる。また、必要に応じて、突板、合成樹脂シート、合成樹脂発泡シート、化粧紙、合成樹脂含浸シート等の表面化粧材を積層し、木目調や大理石調に加飾したものも用いることができる。更に、意匠性、木質感、耐傷性等を付与するために、印刷、塗装、着色、コーティング、溝切加工等を行ってもよい。
なお、表面に突板を接着する場合には、反りを防止する目的で、裏面に板、紙等を接着することが好ましい。
【０００９】
上記板状体層の厚さとしては特に限定されないが、好ましい下限は１ｍｍ、好ましい上限は１５ｍｍである。１ｍｍ未満であると、板状体の強度が不足することがあり、１５ｍｍを超えると、熱伝導に劣り、初期の温まりが遅く、安定時の熱効率が悪くなることがある。より好ましい下限は２ｍｍ、より好ましい上限は７ｍｍである。
【００１０】
上記マット層としては、適度な断熱性を有し柔軟性、強靱性、変形に対する回復性等の物理的性能を発揮できるものであれば特に限定されず、例えば、ポリスチレン系樹脂発泡体やポリオレフィン系樹脂発泡体等が挙げられる。なかでも、厚さ方向にリブ構造を有する硬質発泡体であって、シート状の連続発泡層の少なくとも一方の面に凸状に形成された高発泡体部を備え、該高発泡体部の全表面が前記連続発泡層及び低発泡体層により被覆され、前記低発泡体層により被覆された相隣接する前記高発泡部間に凹部が形成されることにより凹凸が形成されているものが好適である。
【００１１】
上記マット層の厚さとしては特に限定されないが、好ましい下限は７ｍｍ、好ましい上限は１５ｍｍである。７ｍｍ未満であると、流体配管を収納することができなかったり、また、充分な柔軟性、強靱性を発揮できなかったりすることがある。１５ｍｍを超えると、床への収まりが悪くなったり、施工が困難になったりすることがある。より好ましい下限は９ｍｍ、より好ましい上限は１２ｍｍである。
【００１２】
上記マット層中には、流体配管が組み込まれている。上記流体配管は、熱源で温められた温水や不凍液等が流すための経路である。上記流体配管には、内径が４〜１０ｍｍ程度、断面が真円状、楕円状、小判状、多角形状、袋状である管の他、温水が漏れなく流れ、放熱体として機能する限りにおいて、マット層自体に加工を施してこれを流路とする場合を含む。
上記流体配管としては特に限定されず、例えば、耐熱性ポリエチレン、架橋ポリエチレン、ポリプロピレン、ポリブテン等からなる樹脂管；銅等からなる金属管；金属層と樹脂層とを有する金属強化樹脂管等が挙げられる。
【００１３】
上記クッション層は、本発明の暖房床に適度な歩き心地と、より高い防音性とを付与するものである。
上記クッション層としては特に限定されないが、例えば、発泡ポリエチレン、発泡ポリウレタン、発泡ポリプロピレン、発泡ポリスチレン等の軟質発泡体；不織布等からなるものが挙げられる。なかでも、防音効果が特に高いことから、発泡ポリウレタンが好適である。
【００１４】
上記クッション層の厚さとしては特に限定されず、好ましい下限は１ｍｍ、好ましい上限は５ｍｍである。１ｍｍ未満であると、充分な防音性を発揮できないことがあり、５ｍｍを超えると、踏み心地が劣ることがある。より好ましい下限は２ｍｍ、より好ましい上限は４ｍｍである。
【００１５】
本発明の暖房床では、上記基本構造の発泡体層及びクッション層の一部にヘッダーが配置されている。ヘッダー一例、及び、ヘッダーの配置方法の一例は図４及び図３に示した通りである。
上記ヘッダーとしては、通常の金属からなるものを用いることができる。
【００１６】
本発明１の暖房床においては、上記ヘッダーの配置位置の周囲において、上記クッション層が硬質層に置換されている。図１に、本発明１の暖房床の一態様を模式的に説明する断面図を示した。図１に示した暖房床では、ヘッダー５の周辺部分のクッション層３が除かれ、代わりに硬質層６が配置されている。このような硬質層を設けることにより、ヘッダーの周辺部を踏んだときに、クッション層のへこみによる沈み込み感を感じない範囲が拡大するため、踏み心地の違和感が大幅に緩和される。
【００１７】
上記硬質層としては、上記クッション層に比べて充分に硬いものであれば特に限定されないが、例えば、ＪＩＳ  Ｋ  ７２２０に準じて常温下、圧縮速度１０ｍｍ／ｍｉｎの条件で測定される圧縮降伏応力が０．５ＭＰａ以上であるものが好適である。
このような圧縮降伏応力を満たすものとしては特に限定されず、例えば、合板、パーチクルボード、ＭＤＦ等の木質シート；ポリエチレン、ポリスチレン、塩化ビニール等からなる合成樹脂シート等が好適である。
【００１８】
上記硬質層の厚さとしては、上記クッション層と略同一であることが好ましい。
上記クッション層を上記硬質層で置換する範囲としては特に限定されないが、好ましい下限はヘッダーの周囲１ｃｍ、好ましい上限は１０ｃｍである。１ｃｍ未満であると、充分な踏み心地の改善効果が得られないことがある。１０ｃｍを超えても、踏み心地の改善効果は向上しないのに対して、クッション層による防音効果が得られない範囲が広がる。より好ましい下限はヘッダーの周囲２ｃｍ、より好ましい上限は５ｃｍである。
【００１９】
本発明２の暖房床においては、上記ヘッダーの配置位置の周囲において、上記板状体層とマット層との間に弾性層が配置されている。図２に、本発明２の暖房床の一態様を模式的に説明する断面図を示した。図２に示した暖房床では、ヘッダー５の周辺部分において、板状体層１とマット層２との間に弾性層７が挿入されている。このような弾性層を設けることにより、ヘッダーから周辺に向かって段階的に沈み込み量が増えるため、踏み心地の違和感が大幅に緩和される。
【００２０】
上記弾性層としては、充分な弾性を有するものであれば特に限定されないが、例えば、ＪＩＳ  Ｋ  ６７６７に準拠した方法により測定した２５％圧縮硬さが２０〜３５０ｋＰａであるであるものが好適である。
このような曲げ弾性率を満たすものとしては特に限定されず、例えば、発泡ポリエチレン、発泡ポリウレタン、ＥＶＡ、発泡軟質塩化ビニールからなるシート等が好適である。
【００２１】
上記弾性層の厚さの好ましい下限は０．３ｍｍ、好ましい上限は３ｍｍである。０．３ｍｍ未満であると充分な踏み心地の改善効果が得られないことがあり、３ｍｍを超えると、上記板状体層とマット層との間に配置したときに段差が生じることがある。より好ましい下限は０．５ｍｍ、より好ましい上限は２ｍｍである。
【００２２】
上記弾性層を配置する範囲としては特に限定されないが、好ましい下限はヘッダーの周囲１ｃｍ、好ましい上限は１０ｃｍである。１ｃｍ未満であると、充分な踏み心地の改善効果が得られないことがある。１０ｃｍを超えても、踏み心地の改善効果は向上しない。より好ましい下限は２ｃｍ、より好ましい上限は５ｃｍである。
【発明の効果】
【００２３】
本発明によれば、ヘッダー配置部の周辺部でも踏み心地の変化がほとんどない暖房床を提供することができる。
【発明を実施するための最良の形態】
【００２４】
以下に実施例を挙げて本発明の態様を更に詳しく説明するが、本発明はこれら実施例にのみ限定されるものではない。
【００２５】
板状体層として、厚さ５ｍｍ、縦横１５０ｍｍ×９００ｍｍが１プライであり、床に敷き詰められるように、おすめす部分が明確になった本さね構造を有する、合成樹脂シートにより表面を木目調に加飾された合板を用いた。また、マット層として、市販の厚さ１２ｍｍのポリスチレン発泡体（発泡倍率１０倍）を用いた。更に、市販の厚さ２ｍｍのウレタン発泡体（ブリジストン社製、発泡倍率５０倍）を軟質層として用いた。
また、ヘッダーとして、図４に示したような形状を有し全体の面積が４０ｃｍ２の真鍮からなるものを用いた。
【００２６】
（実施例１）
得られたマット層を縦横９００ｍｍ×１２００ｍｍに組み合わせ、この溝部に架橋ポリエチレン管（ＰＥＸ−５Ａ、内径５ｍｍ、厚さ１．１ｍｍ）を１回路でマット全面にいきわたるように挿入し、マット層の上面に板状体を、マット層の下面に軟質層を貼付した。更にマット層と軟質層の一部を切除し、ヘッダーを配置した。
【００２７】
次いで、ヘッダーの配置部位から３ｃｍの周辺部の軟質層を切除し、代わりに厚さ２ｍｍの合板製シートを硬質層として設置した。
【００２８】
（実施例２）
得られたマット層を縦横９００ｍｍ×１２００ｍｍに組み合わせ、この溝部に架橋ポリエチレン管（ＰＥＸ−５Ａ、内径５ｍｍ、厚さ１．１ｍｍ）を１回路でマット全面にいきわたるように挿入し、マット層の上面に板状体を、マット層の下面に軟質層を貼付した。更にマット層と軟質層の一部を切除し、ヘッダーを配置した。
【００２９】
次いで、ヘッダーの配置部位から５ｃｍの周辺部において、マット層と板状体層との間に厚さ０．８ｍｍの発泡ポリエチレンシート（積水化学工業株式会社製  ダブルタックテープ  ＃５３０）を弾性層として設置した。
【００３０】
（比較例１）
得られたマット層を縦横９００ｍｍ×１２００ｍｍに組み合わせ、この溝部に架橋ポリエチレン管（ＰＥＸ−５Ａ、内径５ｍｍ、厚さ１．１ｍｍ）を１回路でマット全面にいきわたるように挿入し、マット層の上面に板状体を、マット層の下面に軟質層を貼付した。更にマット層と軟質層の一部を切除し、ヘッダーを配置した。
【００３１】
（評価）
実施例１、２及び比較例１で作製した暖房床をコンクリートスラブ厚２５０ｍｍの試作棟地材に両面テープで全面貼付した。
それぞれの暖房床上を歩行する官能試験を行ったところ、実施例１、２で作製した暖房床では、違和感がほとんどなくヘッダーの位置を特定することができなかったのに対し、比較例１で作製した暖房床では、明らかな違和感があって容易にヘッダーの位置を特定できた。
【産業上の利用可能性】
【００３２】
本発明によれば、ヘッダー配置部の周辺部でも踏み心地の変化がほとんどない暖房床を提供することができる。
【図面の簡単な説明】
【００３３】
【図１】本発明１の暖房床の一態様を模式的に説明する断面図である。
【図２】本発明２の暖房床の一態様を模式的に説明する断面図
【図３】暖房床におけるヘッダーの配置位置を模式的に説明する断面図である。
【図４】ヘッダーの一例を表す模式図である。
【符号の説明】
【００３４】
１  板状体層
２  マット層
３  クッション層
４  流体配管
５  ヘッダー
６  硬質層
７  弾性層
【図１】
2007071417.tif 000003
【図２】
2007071417.tif 000004
【図３】
2007071417.tif 000005
【図４】
2007071417.tif 000006